(57)【要約】【課題】  露光点から転写点までの距離を調整可能として、感光体の速度変動にともなう画質ディフェクト（濃度変動）を抑制可能な画像形成装置と、この画像形成装置における画質調整方法を得る。【解決手段】  画像形成ユニット１０６は、位置決めカム１５８を回動させることで、感光体の軸（シャフト１４０）周りにプリントヘッド１１０を回動させ、露光ポイント１２２を移動させることができる。露光ポイント１２２の位置は、露光ポイント１２２から一次転写ポイント１２８までの距離が感光体１０８の回転速度の変動周期の整数倍となり、露光、転写における変動が打ち消しあうように設定される。【選択図】          図５
2006084637.tif 000002
【特許請求の範囲】
【請求項１】
外周面が円筒状の被露光面とされた感光体と、
複数の発光点が前記被露光面と対向するように配置され、画像情報に応じた光を発光点から照射して被露光面を露光する露光器と、
前記露光器によって露光された被露光面を現像する現像器と、
前記現像器による被露光面上の画像が転写される被転写部材と、
前記発光点が前記感光体の中心軸を中心とした円周上を移動するように前記露光器を保持する保持手段と、
前記露光器を所定の固定位置に位置決めして固定する位置決め手段と、
を有することを特徴とする画像形成装置。
【請求項２】
前記保持手段が、少なくとも前記感光体と前記露光器とを一体的に保持する保持ユニット、
を含んで構成されていることを特徴とする請求項１に記載の画像形成装置。
【請求項３】
前記位置決め手段が、前記保持ユニットの前記固定位置を調整可能とされていることを特徴とする請求項２に記載の画像形成装置。
【請求項４】
筐体、を備え、
前記位置決め手段が前記筐体に設けられていることを特徴とする請求項１〜請求項３のいずれか１項に記載の画像形成装置。
【請求項５】
前記位置決め手段が、前記筐体の前記保持ユニット着脱操作側に設けられていることを特徴とする請求項４に記載の画像形成装置。
【請求項６】
前記感光体、前記露光器及び前記現像器、を少なくとも含んで構成される画像形成部が複数備えられると共に、画像形成部のそれぞれの感光体の回転軸が平行になるように配置され、
前記被転写部材が、複数の前記感光体が接触するように配置されていることを特徴とする請求項１〜請求項５のいずれか１項に記載の画像形成装置。
【請求項７】
請求項１〜請求項６のいずれか１項に記載の画像形成装置における画質調整方法であって、
所定の濃度むらテストパターンを出力し、この出力結果に基づいて前記露光器を前記円周上で回転させて画質を調整することを特徴とする画質調整方法。
【発明の詳細な説明】
【技術分野】
【０００１】
本発明は、画像形成装置及び画質調整方法に関し、特に、たとえば露光器としていわゆる複数の発光点を備えたＬＥＤプリントヘッド等の露光器を用いた画像形成装置と、この画像形成装置での画質調整方法に関する。
【背景技術】
【０００２】
近年、レーザプリンタやデジタル複合機の画像形成装置として、複数の画像形成部を直列に配置し、１パスでフルカラー画像を形成する、所謂タンデム型の画像形成装置が開発されている。データ制御部から送られたＹ、Ｍ、Ｃ、Ｋの画像データにより４つの感光体を独立に露光、現像したのち中間転写ベルト上に逐次一次転写する。中間転写ベルト上に作成されたフルカラー画像を二次転写位置で用紙に一括転写したのち定着装置により用紙上に定着する。
【０００３】
このタンデム型の画像形成装置では、装置自体の小型化を実現する手段として露光器にＬＥＤプリントヘッドを用いたものが開発されている。
【０００４】
たとえば特許文献１には、図８に示すように、１つの中間転写ベルト１２の下側に４つの画像形成部１４を配置した画像形成装置が記載されている。このように中間転写ベルト１２の下側に画像形成部１４を配置すると、画像形成部１４Kから用紙排出部１６までの距離が短くなり、プリント指示、複写指示から定着画像排出までの時間を短くできるという利点がある。
【０００５】
しかし、感光体の下側に露光器等の画像形成部を配置すると、画像形成装置の上方から画像形成部にアクセスできず、その着脱方向が水平面内（画像形成部の配列と平行な方向）に限られてしまうため、組立、保全の観点では、構成が複雑になる。
【０００６】
これに対し、同じく特許文献１では、図９に示すように、１つのＬＥＤ保持台１８の上に４つのＬＥＤアレイ２０を一体的に保持し、この一体構造の保持台を水平方向から装置本体に着脱可能にした構造が記載されている。
【０００７】
このような構成では、ＬＥＤアレイの位置関係を正確に維持できるが、実装構成が複雑になりコストアップを招くとともに、保持台を含めた占有スペースが大きなものとなる。実装構成を簡素化するには、４つのＬＥＤアレイを独立に実装するほうが望ましいが、LEDアレイの位置決め精度に起因する画質ディフェクトを抑制するために考慮すべき項目がある。
【０００８】
まず第一は、用紙搬送方向に平行に発生する画像筋である。これは、ＬＥＤのドット間光量差および使用されるセルフォックレンズの透過、結像特性ばらつきにより、露光量がＬＥＤ配列方向で不均一となり、濃度むらが画像筋となる現象である。したがって、実装構成としては、焦点深度の浅いＬＥＤプリントヘッドと感光体の相対距離を高精度に位置決めすることが重要となる。
【０００９】
第二は用紙搬送方向に垂直な濃度むらである。この画質ディフェクトは、ＬＥＤプリントヘッドを使用した画像形成装置に固有の問題ではなく、露光器にレーザ走査装置を用いた場合にも発生する。
【００１０】
図１０には、ＬＥＤプリントヘッドを用いた画像形成部の構成が概念的に示されている。帯電器（ＢＣＲ）２２で帯電された感光体２４に対し、ＬＥＤプリントヘッド２６は、ＬＥＤチップ２８から射出した光束をセルフォックレンズアレイ３０により感光体２４上に結像することで露光を行う。その後、現像器３２によって現像し、中間転写ベルト３４に転写する。濃度むらは、感光体２４の速度変動と、露光ポイント３６から転写ポイント３８までの距離との関係により発生する。
【００１１】
図１１は、画像形成のメカニズムを説明するための図である。ここでは説明の便宜上、感光体２４の上側にＬＥＤプリントヘッド２６を、下側に中間転写ベルト３４を配置している。ＬＥＤプリントヘッド２６により一定時間間隔で露光されたイメージは、感光体２４上に潜像４０として形成され、約１８０°回転してから中間転写ベルト３４上に転写される。ここで、感光体２４の回転速度に変動がなければ中間転写ベルト３４上の転写像４４は図１２（Ｂ）に示すように等間隔の像となる。
【００１２】
しかしながら、実際には、たとえば感光体２４を駆動するモータからの駆動伝達構成等により周期が決まり、その振幅は、部品の精度ばらつき等による変動する。たとえば図１２（Ａ）に示すような速度むらが生じている場合に、露光ポイント３６（図１０参照）を通過するタイミングで感光体２４の速度が速くなると、画像の間隔が広がって粗状態の潜像が形成され、逆に感光体２４の速度が遅くなると、画像の間隔が狭まって密状態の潜像が形成される。そして、このように粗密をもった潜像が転写ポイント３８（図１０参照）に達したときの感光体２４の速度により、画像ピッチの粗密がキャンセルされるか、粗密が重畳されるかが決まる。たとえば、図１２（Ｃ）と図１２（Ｄ）とを対比すれば分かるように、画像の間隔が広がった状態の潜像が、速度が遅くなるタイミング（被転写体が相対的に早い状態）で転写ポイント３８に到達すると、転写像の画像の間隔はさらに広がる。逆に画像の間隔の狭まった状態の潜像が、速度が速くなるタイミングで転写ポイント３８に到達すると、転写像の画像の間隔はさらに狭まる。すなわち、露光ポイント３６から転写ポイント３８までの距離（感光体の円周長）が感光体の速度変動周期の整数倍となって露光と転写が同位相で行われれば、感光体の速度変動はキャンセルされ、逆位相になると速度変動が重畳されて転写像の粗密を生じる。そして、画像ピッチが密となる部分では濃くなり、粗となる部分では薄くなるため、図１２（Ｅ）に示すように、速度むら周期での濃度むらを引き起こす。このように、露光ポイント３６の位置、すなわちＬＥＤプリントヘッド２６の実装位置決め精度により、用紙搬送方向に垂直な濃度むらが発生する。
【特許文献１】特開２００２−６５８８号公報
【特許文献２】特開平１０−１６６５６３号公報
【発明の開示】
【発明が解決しようとする課題】
【００１３】
本発明は上記事実を考慮し、露光ポイントから転写ポイントまでの距離を調整可能として、感光体の速度変動にともなう画質ディフェクト（濃度変動）を抑制可能な画像形成装置と、この画像形成装置における画質調整方法を得ることを課題とする。
【課題を解決するための手段】
【００１４】
請求項１に記載の発明では、外周面が円筒状の被露光面とされた感光体と、複数の発光点が前記被露光面と対向するように配置され、画像情報に応じた光を発光点から照射して被露光面を露光する露光器と、前記露光器によって露光された被露光面を現像する現像器と、前記現像器による被露光面上の画像が転写される被転写部材と、前記発光点が前記感光体の中心軸を中心とした円周上を移動するように前記露光器を保持する保持手段と、前記露光器を所定の固定位置に位置決めして固定する位置決め手段と、を有することを特徴とする。
【００１５】
この画像形成装置では、感光体の露光面が露光器により露光され、さらに現像器で現像されて、得られた画像が被転写部材に転写される。
【００１６】
露光器は、発光点が感光体の中心軸を中心とした円周上を移動するように保持手段で保持されている。したがって、この移動により、露光ポイントを任意の位置に移動させ、露光ポイントから転写ポイント（被転写部材への一次転写ポイント）までの距離を感光体の速度変動周期の整数倍となる位置で固定することで、感光体の速度変動に伴う濃度変動を抑制して、良好な画像状態を得ることができる。
【００１７】
請求項２に記載の発明では、請求項１に記載の発明において、前記保持手段が、少なくとも前記感光体と前記露光器とを一体的に保持する保持ユニット、を含んで構成されていることを特徴とする。
【００１８】
このように保持ユニットによって感光体と露光器とをユニット化することで、これらの相対位置を高精度に維持可能となる。
【００１９】
請求項３に記載の発明では、請求項２に記載の発明において、前記位置決め手段が、前記保持ユニットの前記固定位置を調整可能とされていることを特徴とする。
【００２０】
保持ユニットの固定位置を調整可能とすることで、これらの間のバラツキを吸収して、良好な画像を得ることが可能となる。
【００２１】
請求項４に記載の発明では、請求項１〜請求項３のいずれか１項に記載の発明において、筐体、を備え、前記位置決め手段が前記筐体に設けられていることを特徴とする。
【００２２】
一般に濃度むらの原因となる感光体の速度変動は画像形成装置の駆動部で生じる。また、転写ポイントの状態も筐体の歪に影響される。このように画質の変動要因は装置本体側に多い。請求項４に記載のように、位置決め手段を筐体に設けると、露光ポイントを決定する位置決め基準が筐体に残ることになるので、ユニット化された感光体と露光器とを交換しても調整された画質が維持される。
【００２３】
また、感光体と露光器とが保持ユニットによってユニット化された状態で、このユニットごと筐体に対して着脱することにより、露光器を感光体に対して接離可能としたり、押圧状態状態を解除したりするための機構（リトラクト機構等）が不要となり、実装構造を簡素化できる。
【００２４】
請求項５に記載の発明では、請求項４に記載の発明において、前記位置決め手段が、前記筐体の前記保持ユニット着脱操作側に設けられていることを特徴とする。
【００２５】
これにより、位置決め手段が筐体に対するアクセス容易な側に配置されることになるので、製造工程、検査工程、メンテナンス工程（使用途中での濃度ムラ調整等）を容易に行うことができる。
【００２６】
請求項６に記載の発明では、請求項１〜請求項５のいずれか１項に記載の発明において、前記感光体、前記露光器及び前記現像器、を少なくとも含んで構成される画像形成部が複数備えられると共に、画像形成部のそれぞれの感光体の回転軸が平行になるように配置され、前記被転写部材が、複数の前記感光体が接触するように配置されていることを特徴とする。
【００２７】
すなわち、この画像形成装置は、画像形成部がタンデム配置されたタンデム型画像形成装置とされる。これにより、複数色（たとえばフルカラー）の画像を形成することが可能となる。
【００２８】
そして、各画像形成部のそれぞれで発光点を移動させて露光ポイントの調整をすることで、高画質な複数色の画像を得ることが可能となる。
【００２９】
請求項７に記載の発明では、請求項１〜請求項６のいずれか１項に記載の画像形成装置における画質調整方法であって、所定の濃度むらテストパターンを出力し、この出力結果に基づいて前記露光器を前記円周上で回転させて画質を調整することを特徴とする。
【００３０】
この濃度むらテストパターンとしては、感光体の回転速度むらを検出しやすいパターンを使用できる。そして、その出力結果に基づいて前記露光器を前記円周上で回転させて画質を調整することで、確実且つ効率的に露光ポイントの調整を行うことができる。
【発明の効果】
【００３１】
本発明は上記構成としたので、露光ポイントから転写ポイントまでの距離を調整可能として、感光体の速度変動にともなう画質ディフェクト（濃度変動）を抑制できる。
【発明を実施するための最良の形態】
【００３２】
図１には、本発明の第１実施形態の画像形成装置１０２が示されている。この画像形成装置１０２は、いわゆるタンデム型画像形成とされている。
【００３３】
画像形成装置１０２は、略水平に掛け渡された中間転写ベルト１０４を備えており、その下側には、それぞれ異なる現像色に対応した４つの画像形成ユニット１０６が配置されている。なお、以下では、特に色ごとに区別する必要がある場合には、Ｙ（イエロー）、Ｍ（マゼンタ）、Ｃ（シアン）、Ｋ（ブラック）のいずれかを符号の後に付して示すこととする。
【００３４】
図２〜図４にも示すように、画像形成ユニット１０６はハウジング１２０を備えており、ハウジング１２０内に、それぞれ感光体１０８と、帯電器（ＢＣＲ）１０９、ＬＥＤプリントヘッド１１０及びクリーナ１１２が収容されてユニット化されている。また、感光体１０８の露光面（外周面）１０８Ｅは部分的にハウジング１２０から露出しており、この露出部分に、図１に示すように、ハウジング１２０の外側に配置された現像器１１４の現像ローラが接触している。さらに、感光体１０８の被露光面１０８Ｅは、現像器１１４よりも回転方向（矢印Ｒ方向）の下流側で中間転写ベルト１０４に接触している。
【００３５】
感光体１０８は、少なくともその外周面が円筒状とされた被露光面１０８Ｅとされており、この被露光面１０８Ｅに静電潜像を形成可能とされている。
【００３６】
ＬＥＤプリントヘッド１１０は、被露光面１０８Ｅと対向する複数のＬＥＤ（発光点）１１６を備えており、図示しないコントローラから転送された画像データに基づいてこれらＬＥＤ１１６が点灯する。ＬＥＤ１１６からの光がセルフォックレンズ１１８を経て、帯電器１０９で帯電された被露光面１０８Ｅ上の露光ポイント１２２に照射され、被露光面１０８Ｅ上に潜像が形成される。感光体１０８が反時計周りに回転すると潜像が現像器１１４により現像像とされ、一次転写ポイント１２８において中間転写ベルト１０４に一次転写される。中間転写ベルト１０４は、図１において時計周りに回転しており、Ｙ（イエロー）、Ｍ（マゼンタ）、Ｃ（シアン）、Ｋ（ブラック）の各色に対応する画像が順次転写されて重ね合わされたのち、二次転写ポイント１３０にて、用紙トレイ１３２から送り出された用紙上に二次転写される。二次転写された用紙は定着器１３４により定着されて、排紙トレイ１３６上にスタックされる。また、感光体１０８の被露光面１０８Ｅは、一次転写ポイント１２８通過後にクリーナ１１２によりクリーニングされる。
【００３７】
図３及び図４に示すように、画像形成ユニット１０６の感光体１０８の両側には感光体フランジ１３８が嵌め込まれ、さらに感光体フランジ１３８にシャフト１４０が挿入されて、全体として感光体アッセイが構成されている。感光体アッセイの感光体フランジ１３８には、ベアリング１４４が嵌合されており、このベアリング１４４が画像形成ユニットのハウジング１２０により支持されている。
【００３８】
図１及び図５に示すように、画像形成ユニット１０６は、画像形成装置１０２の筐体１４６に設けられた開放穴１４８を通して画像形成装置１０２の手前側から挿入及び装着できる。装着状態では、感光体１０８の軸を構成するシャフト１４０が図示しないリアフレーム及びフロント位置決めフレームで支持されており、画像形成ユニット１０６は、シャフト１４０周りに回動可能となる。
【００３９】
図３及び図４に示すように、ＬＥＤプリントヘッド１１０は、その両端部に位置決めピン１５０を備えている。また、ＬＥＤプリントヘッド１１０を挟んで位置決めピン１５０と反対側には押圧スプリング１５２が圧縮状態ではめ込まれている。押圧スプリング１５２の押圧力を利用して、位置決めピン１５０の先端をベアリング１４４に突き当てることで、ＬＥＤプリントヘッド１１０の感光体１０８に対する光軸方向の位置決めを行うことができる。
【００４０】
画像形成ユニット１０６は、感光体１０８、ＬＥＤプリントヘッド１１０を一体構成のハウジング１２０で支持しているため、ＬＥＤプリントヘッド１１０の押圧を解除する機構を持たず、またハウジング１２０に設けた嵌合穴１５４で位置決めピン１５０の感光体円周方向位置（露光ポイント）を規制する構成となっているため、ＬＥＤプリントヘッド１１０が安定した状態でベアリング１４４に突き当て、位置決めされる。
【００４１】
図５には、画像形成ユニット１０６の位置決め部が拡大して示されている。ハウジング１２０の一端からは当接部１５６が突設されており、この当接部１５６に位置決めカム１５８を当接させることで、感光体１０８の回転軸（シャフト１４０）に対する画像形成ユニット１０６の姿勢、すなわち露光ポイント１２２を決めることができるようになっている。
【００４２】
図６に詳細に示すように、位置決めカム１５８は略扇形状に形成されており、画像形成装置１０２の筐体１４６に設けられた支持シャフト１６０に対して回動可能に取り付けられている。位置決めカム１５８の、当接部１５６と対向する部分は、支持シャフト１６０からの距離が周方向でしだいに変化するカム部１６２とされ、カム部１６２の一部が接触点１６４において当接部１５６と接触している。カム部１６２の近傍には、支持シャフト１６０から一定の半径を有する円弧状の長孔１６６が形成されている。長孔１６６に挿通されたスクリュー１７２が筐体１４６に螺合されて、位置決めカム１５８の姿勢が維持される。
【００４３】
また、カム部１６２反対側にはギヤ部１６８が設けられており、筐体１４６に回動可能に取り付けられた調整用ギヤ１７０と噛み合っている。調整用ギヤ１７０を回転させることで位置決めカム１５８も回転するため接触点１６４の位置が移動する。これにより、支持シャフト１６０の中心から接触点１６４までの距離が変化して、ハウジング１２０がシャフト１４０を中心として回動する。そして、画像形成ユニット１０６の姿勢が調整され、感光体１０８上の被露光面１０８Ｅでの露光ポイント１２２の位置も調整される。露光ポイント１２２の位置は、露光ポイント１２２から一次転写ポイント１２８までの距離が感光体１０８の回転速度の変動周期の整数倍となり、露光、転写における変動が打ち消しあうように設定される。
【００４４】
調整が完了した状態で、長孔１６６に挿通されたスクリュー１７２を締め、位置決めカム１５８をこの姿勢で固定する。このように、位置決めカム１５８は筐体１４６に対して所定の調整位置で固定されるので、画像形成ユニット１０６を着脱してもこの調整位置が保たれる。また、画像形成ユニット１０６は、位置決めカム１５８の反対側から図示しない押圧手段で位置決めカム１５８に対して押圧されており、ハウジング１２０はこの押圧手段と位置決めカム１５８とで挟まれるようにして、その姿勢が維持されるようになっている。なお、押圧手段としては特に限定されないが、圧縮コイルばねや板ばね等のばねを使用すると、構造の複雑化を招かないので好ましい。
【００４５】
このような構成とされた第１実施形態の画像形成装置１０２では、上記したように、露光ポイント１２２から一次転写ポイント１２８までの距離が感光体１０８の回転速度の変動周期の整数倍となり、露光、転写における変動が打ち消しあうように露光ポイント１２２の位置が設定される。すなわち、露光ポイント１２２の位置を調整しない状態において、たとえば感光体１０８の速度変動があった場合には、図１２にも示したように、画像（一次転写ポイント１２８での転写像）の粗密を生じ、速度変動の周期での濃度ムラを引き起こすことがある。これに対し、本実施形態では、感光体１０８の速度変動に伴う濃度ムラを抑制して、良好な画像状態を得ることが可能となる。特に、本実施形態のようなタンデム型画像形成装置では、画像形成ユニット１０６のそれぞれで露光ポイント１２２の位置を調整することで、複数色の間で色ずれ等のない高画質の画像を記録することも可能となる。
【００４６】
この位置調整は、たとえば、画像形成装置１０２の製造工程において、事前に規定の位置に調整しておけば良い。すなわち、画質調整工程でハーフトーンサンプルを出力して濃度むらをチェックし、判定基準を超えた場合は、位置決めカム１５８を調整して濃度むらを抑制する。
【００４７】
なお、本実施形態では一例として、感光体１０８の速度変動周期が３ｍｍピッチのため、その１／４周期にあたる±０．７５ｍｍ以内の位相ずれとなるように画像形成ユニット１０６の姿勢を調整すれば、位相ずれにより発生する濃度むらは許容範囲となる。
【００４８】
図７には、本発明の第２実施形態の画像形成装置が部分的に示されている。第２実施形態では、画像形成ユニット１０６を所定位置に位置決めする位置決め部の構成のみが第１実施形態と異なっているので、画像形成装置の全体構成については説明を省略し、第１実施形態と異なっている部分のみ説明する。
【００４９】
第２実施形態では、筐体１４６に保持片１７４が設けられている。保持片１７４には雌ねじが形成されており、調整用スクリュー１７６が螺合されている。調整用スクリュー１７６の先端は当接部１５６に当接されており、調整用スクリュー１７６を回転することで画像形成ユニット１０６の姿勢を調整することができる。
【００５０】
なお、一般に筐体１４６は少なくともその一部に板金を含んで構成されることが多いので、保持片１７４としてはこの板金を部分的に折り曲げることにより構成できる。もちろん、筐体１４６とは別体で形成された部材を筐体１４６に固定して保持片１７４を構成してもよい。
【００５１】
また、本発明の各実施形態では、少なくとも感光体１０８とＬＥＤプリントヘッド１１０とをユニット化することで、ＬＥＤプリントヘッド１１０を感光体１０８に対して接近あるいは離間させるための機構や、押圧及び押圧解除するための機構（リトラクト機構）が不要となるので、構造を簡素化できる。しかも、ユニット化することで、感光体１０８とＬＥＤプリントヘッド１１０との相対的な位置関係を高精度に維持できる。
【００５２】
このように感光体１０８とＬＥＤプリントヘッド１１０を画像形成ユニット１０６に一体で収容する構成において、たとえば、感光体１０８としてアモルファスシリコン感光体のような長寿命感光体を用いれば、画像形成ユニット１０６は画像形成装置１０２の装置寿命まで使用可能となることが多い。また、装置寿命に対し感光体の寿命が短い場合は、画像形成ユニット１０６を製造工場に回収し、感光体１０８のみ交換して、新造する画像形成装置の製造ラインに再供給してもよい。また、画像形成ユニット１０６を、画像形成装置１０２の使用現場等で感光体１０８のみ交換しても良い。
【００５３】
もちろん、本発明としては、感光体１０８とＬＥＤプリントヘッド１１０とがユニット化されている必要はない。たとえば、感光体１０８とＬＥＤプリントヘッド１１０とがそれぞれ独立で筐体１４６に保持される構成でもよい。このような別体の構成では、たとえば筐体１４６に、ＬＥＤプリントヘッド１１０を移動可能に保持する部材（たとえば、感光体１０８のシャフト１４０を中心として形成され、ＬＥＤプリントヘッド１１０の両端部分を保持可能な溝など）を設けてもよい。
【００５４】
また、位置決め部、すなわち当接部１５６に当接して筐体１４６（画像形成ユニット１０６）を所定の位置に位置決めする部材としても、上記した位置決め部のように筐体１４６側に設けられている構成に限定されず、たとえばハウジング１２０側に設けられていてもよい。ただし、一般に感光体１０８の速度変動は、画像形成装置１０２の駆動部等で生じることが多い。また、一次転写ポイント１２８の状態も、筐体１４６の歪に影響されることがある。したがって、位置決め部を筐体１４６側に設けると、露光ポイントを決定する位置決め基準が筐体１４６側に残ることになるので、ユニット化された感光体１０８及びＬＥＤプリントヘッド１１０を交換しても、調整後の画質を維持することができる。
【図面の簡単な説明】
【００５５】
【図１】本発明の第１実施形態の画像形成装置の構成を示す概略図である。
【図２】本発明の第１実施形態の画像形成装置の画像形成ユニットを示す斜視図である。
【図３】本発明の第１実施形態の画像形成装置の画像形成ユニットを示す断面図である。
【図４】本発明の第１実施形態の画像形成装置の画像形成ユニットを示す断面図である。
【図５】本発明の第１実施形態の画像形成装置の画像形成ユニットと、画像形成ユニットを位置決めする位置決め部を示す正面図である。
【図６】本発明の第１実施形態の画像形成装置に係る位置決め部の位置決めカム及びその近傍を拡大して示す正面図である。
【図７】本発明の第２実施形態の画像形成装置に係る位置決め部の位置決めカム及びその近傍を拡大して示す正面図である。
【図８】従来の画像形成装置の構成を示す概略図である。
【図９】従来の画像形成装置のＬＥＤアレイの構成を示す斜視図である。
【図１０】画像形成装置の画像形成部及びその近傍を示す概略図である。
【図１１】画像形成装置での画像形成のメカニズムを示す説明図である。
【図１２】感光体の速度変動と、画像ピッチの変動及び画像の濃度むらの関係を示す説明図である。
【符号の説明】
【００５６】
１０２ 画像形成装置
１０４ 中間転写ベルト（被転写部材）
１０６ 画像形成ユニット
１０８ 感光体
１１０ ＬＥＤプリントヘッド（露光器）
１１２ クリーナ
１１４ 現像器
１１６ ＬＥＤ（発光点）
１１８ セルフォックレンズ
１２０ ハウジング（保持ユニット、保持手段）
１２２ 露光ポイント
１２８ 一次転写ポイント
１３０ 二次転写ポイント
１３２ 用紙トレイ
１３４ 定着器
１３６ 排紙トレイ
１３８ 感光体フランジ
１４０ シャフト
１４４ ベアリング
１４６ 筐体
１４８ 開放穴
１５０ ピン
１５２ 押圧スプリング
１５４ 嵌合穴
１５６ 当接部
１５８ カム（位置決め手段）
１６０ 支持シャフト
１６２ カム部
１６４ 接触点
１６６ 長孔
１６８ ギヤ部
１７０ 調整用ギヤ
１７２ スクリュー
１７４ 保持片
１７６ 調整用スクリュー
【図１】
2006084637.tif 000003
【図２】
2006084637.tif 000004
【図３】
2006084637.tif 000005
【図４】
2006084637.tif 000006
【図５】
2006084637.tif 000007
【図６】
2006084637.tif 000008
【図７】
2006084637.tif 000009
【図８】
2006084637.tif 000010
【図９】
2006084637.tif 000011
【図１０】
2006084637.tif 000012
【図１１】
2006084637.tif 000013
【図１２】
2006084637.tif 000014